(57)【特許請求の範囲】
【請求項１】
操作部の操作により、映像の大きさを調整する機能の設定を変更できるようにした業務用映像表示装置であって、
ユーザが一般に行わないような操作により、電源オン／オフの切り替えに伴い前記機能の設定を初期化するか否かを設定するための業務用設定メニューを表示するように構成された表示部と、
この表示部に表示された業務用設定メニューに基づき、前記機能の設定を初期化するか否かを設定することのできる設定部とを有し、
さらに、この設定部として、前記機能の設定を初期化するか否かの設定内容を記憶する業務用設定記憶部と、電源がオンされたときに、前記業務用設定記憶部に記憶された設定内容に従い前記機能の設定を初期化するかどうか判断する制御部とを有する
ことを特徴とする業務用映像表示装置。
【請求項２】
前記操作部を備えたリモコンを有し、
さらに、前記設定部として、前記リモコンから送信された、前記機能の設定を初期化するか否かを選択するためのリモコン信号を受信するリモコン信号受信部を備える
ことを特徴とする請求項１に記載の業務用映像表示装置。
【発明の詳細な説明】
【技術分野】
【０００１】
本発明は、業務用映像表示装置に関する。
【背景技術】
【０００２】
一般に、テレビ受信装置等の映像表示装置は、ユーザ（即ち、映像表示装置の使用者）によって映像表示装置の機能の設定を変更することができ、例えば、ディスプレイに表示される映像の大きさを調整する機能の設定や、スピーカーにより再生される音声の大きさを調整する機能の設定を、ユーザの好みにより変更することが知られている。
【０００３】
例えば、映像の大きさ（即ち、画面サイズ）を調整する機能の設定を変更することで、図９及び図１０に示すように、ディスプレイ７に表示される映像Ｐを、図中の矢印Ｅで示すように拡大して表示することが知られている。即ち、図９に示すように、横縦比が１６：９のディスプレイ１０７に表示される映像Ｐの横縦比が４：３であるならば、映像の大きさを調整する機能の設定を変更することで、映像の横幅がディスプレイ１０７の横幅となるように、映像Ｐが拡大される。また、同様に、図１０に示すように、横縦比が１６：９のディスプレイ１０７に表示される映像Ｐの横縦比が２：１等であるならば、映像の大きさを調整する機能の設定を変更することで、映像の縦幅がディスプレイ１０７の縦幅となるように、映像Ｐが拡大される。図中の矢印Ｅで示すように映像Ｐが拡大される場合には、図中の斜線部分で示す映像の一部はカットされて、ディスプレイ１０７に表示されない。
【０００４】
また、一般に、上記のように機能の設定が変更可能な映像表示装置において、設定内容をＥＥＰＲＯＭ等の不揮発性メモリに記憶させることで、電源オン／オフの切り換えが行われた場合であっても、機能の設定を保持して、各種の機能を発揮するようにしたものが知られている。即ち、映像の大きさを調整する機能の設定が変更可能な映像表示装置においては、設定内容をＥＥＰＲＯＭに記憶させておくことで、電源オン／オフの切り換えが行われた場合であっても、ＥＥＰＲＯＭに記憶された設定内容に基づいて、映像の大きさを調整する機能を、電源オフ前の設定で発揮することが知られている。電源オン／オフの切り換えとしては、映像表示装置の電源プラグをＡＣコンセントに差し込む／ＡＣコンセントから外す、映像表示装置の電源スイッチをオン／オフする、リモコン装置の電源ボタンをオン／オフする場合がある。
【０００５】
ところで、上記のように、機能の設定を保持する映像表示装置が、一般家庭に設置される民生用としてのみならず、例えば、宿泊施設の客室等に設置される業務用としても使用される場合には、ユーザの認知しない機能が発揮される。即ち、業務用として使用される映像表示装置は、ユーザが不特定であるため、あるユーザが機能の設定を変更した場合に、その設定が保持されていると、他のユーザの認知しない機能が発揮される。従って、例えば、映像の大きさを調整する機能の設定が変更可能な映像表示装置において、あるユーザにより、映像を拡大するように設定が変更されている場合は、映像の一部がカットされて表示されるため、映像表示装置が故障していると他のユーザが判断して、他のユーザから苦情が発生することがあった。
【０００６】
そこで、保持している機能の設定を初期化することが考えられる。機能の設定を初期化するものとしては、例えば、ユーザから初期化の指示を受け付けると、メニュー画面に全初期化または部分初期化のいずれかを選択させる項目を表示させ、その選択に応じて変更値を初期化するものが開示されている（例えば、特許文献１参照）。
【特許文献１】特開２００７−３０６１１３号公報
【発明の開示】
【発明が解決しようとする課題】
【０００７】
しかしながら、上記特許文献１に記載されるようにユーザから初期化の指示を受け付けて初期化する場合には、ユーザに応じて機能の設定が初期化されるが、ユーザが機能の設定を初期化することを意識する必要があり、ユーザが意識することなく機能の設定を初期化することはできないという問題があった。
【０００８】
そこで、ユーザが意識することなく機能の設定を初期化するために、設定内容を記憶しないで機能の設定を保持しない映像表示装置を構成することも考えられるが、このように構成した場合は、同一のユーザが映像表示装置を使用し続ける場合には、ユーザの好みに応じて変更された機能の設定が保持されず不便である。従って、ユーザに応じて機能の設定を初期化することができ、かつ、ユーザが意識することなく機能の設定を初期化することは困難であるという問題があった。
【０００９】
本発明は、こうした実情に鑑みてなされたものであり、その目的は、ユーザが、映像の大きさを調整する機能の設定をユーザが変更できるようにした業務用映像表示装置において、ユーザの意思とは関係無く、管理者が電源オン／オフの切換に伴い前記機能の設定を初期化できるようにした業務用映像表示装置を提供することにある。
【課題を解決するための手段】
【００１０】
請求項１に記載の発明は、操作部の操作により、映像の大きさを調整する機能の設定を変更できるようにした業務用映像表示装置であって、ユーザが一般に行わないような操作により、電源オン／オフの切換に伴い前記機能の設定を初期化するか否かを設定するための業務用設定メニューを表示するように構成された表示部と、この表示部に表示された業務用設定メニューに基づき、前記機能の設定を初期化するか否かを設定することのできる設定部とを有し、さらに、この設定部として、前記機能の設定を初期化するか否かの設定内容を記憶する業務用設定記憶部と、電源がオンされたときに、前記業務用設定記憶部に記憶された設定内容に従い前記機能の設定を初期化するかどうか判断する制御部とを有することを特徴とする。
【００１１】
同構成によれば、表示部に表示された業務用設定メニューに基づき、電源をオン／オフ切り換えるに伴い映像の大きさを調整する機能の設定を初期化するか否かを設定することができる。しかしながら、この業務用設定メニューを表示部に表示することができるのは管理者であって、一般ユーザではない。このため、管理者が予め、電源オン／オフの切り換えに伴い映像の大きさを調整する機能の設定を初期化するように設定しておけば、この業務用映像表示装置を初めて使用する者（例えば、ある宿泊施設に初めて宿泊する者）に対して、視聴開始時に管理者により設定された一定の大きさの映像を表示することができる。また、管理者が予め、映像の大きさを調整する機能の設定を初期化しないように設定しておけば、この業務用映像表示装置を長期使用する者（例えば、同一宿泊施設に連泊する者）に対して、電源をオンしたときに、電源をオフする前に設定していた大きさの映像を表示させることができる。このように、この業務用映像表示装置の管理者は、ユーザの意思とは関係なく、電源オン／オフの切り換えに伴い映像の大きさを調整する機能の設定を初期化するか否かを設定することができる。また、管理者は、前記機能の設定を初期化するか否かを設定することにより、この業務用映像表示装置を初めて使用するユーザに対し不満を抱かせないように配慮したり、長期使用するユーザに対しては利便性を向上させるように配慮したりすることができる。
【００１５】
同構成によれば、電源オン／オフの切り換えに伴い機能の設定を初期化するか否かを設定するための設定部として、機能の設定を初期化するか否かの情報が記憶された設定記憶部と、設定記憶部に記憶された情報に基づいて機能の設定を初期化するか否かを判断する制御部とを備えている。このため、設定記憶部に機能の設定を初期化するか否かの情報を予め記憶させておくことで、機能の設定を初期化するか否かを自動的に判断することができる。
【００１６】
請求項２に記載の発明は、請求項１に記載の業務用映像表示装置であって、前記操作部を備えたリモコンを有し、さらに、前記設定部として、前記リモコンから送信された、前記機能の設定を初期化するか否かを設定するためのリモコン信号を受信するリモコン信号受信部を備えることを特徴とする。
【００１７】
同構成によれば、前記機能の設定を初期化するか否かを、遠隔操作により容易に設定することができる。
【発明の効果】
【００２０】
本発明によれば、この業務用映像表示装置の管理者は、電源オン／オフの切り換えに伴い映像の大きさを調整する機能の設定を初期化するか否かを設定することにより、この業務用映像表示装置を使用するユーザに対し不満を抱かせないように配慮したり、ユーザの利便性を向上させるように配慮したりすることができる。
【発明を実施するための最良の形態】
【００２１】
本発明の実施形態に係る映像表示装置は、テレビ受信装置であって、映像の大きさを調整する機能等の各種機能を有している。以下に、本発明の具体的な実施形態について図面を参照しながら説明する。
【００２２】
（第１の実施形態）
図１は、本発明の第１の実施形態に係る映像表示装置の概略構成を示すブロック図である。図１に示すように、映像表示装置であるテレビ受信装置１は、放送信号を受信して、放送信号に含まれる映像情報に基づいて、表示部であるディスプレイ７に映像を表示するとともに、放送信号に含まれる音声情報に基づいて、スピーカー９により音声を再生するものである。
【００２３】
テレビ受信装置１は、デジタル放送信号（以下、単に「放送信号」という。）を受信するアンテナＡに接続されたチューナー２と、チューナー２から出力された信号を復調するとともに誤り符号訂正を行う復調部３と、復調部３により復調された信号のスクランブルを解除するデスクランブル部４とを備えている。
【００２４】
また、テレビ受信装置１は、スクランブルが解除された信号を、映像データ、音声データ等に分離する多重分離部５と、映像信号に対して信号処理を施す映像信号処理部６と、ディスプレイ７と、音声信号に対して信号処理を施す音声信号処理部８と、スピーカー９とを備えている。
【００２５】
さらに、テレビ受信装置１は、テレビ受信装置１の各部（例えば、チューナー２や映像信号処理部６や音声信号処理部８）を制御する制御部１０と、設定記憶部１１と、本体操作部１３と、リモコン信号受信部１４とを備えている。
【００２６】
制御部１０は、例えば、メモリ（不図示）に記憶されたプログラムを実行するＣＰＵ（Central Processing Unit）やマイコンであって、映像信号処理部６や音声信号処理部８へ制御信号を出力して、テレビ受信装置１の各部を制御する。例えば、制御部１０は、設定記憶部１１に記憶された設定値に基づいて、ディスプレイ７に表示される映像の大きさを調整する旨の制御信号を映像信号処理部６へ出力することで、映像の大きさを調整するように映像信号処理部６を制御して、設定値に対応した大きさの映像をディスプレイ７に表示させる。
【００２７】
また、制御部１０は、ＯＳＤ（On Screen Display）画像を表示するためのＯＳＤ信号を生成するＯＳＤ信号生成回路（不図示）を備えている。制御部１０によって生成されたＯＳＤ信号が映像信号処理部６へ出力されることで、放送信号に含まれる映像情報に基づいて表示される映像とは別に、設定メニュー等の映像（即ち、ＯＳＤ画像）がディスプレイ７に表示される。
【００２８】
設定記憶部１１は、ＥＥＰＲＯＭ等の書き込み・消去可能な不揮発性メモリであって、電源オン／オフの切り換えを行った場合であっても、映像の大きさを調整する機能の設定を保持するために、設定記憶部１１には映像の大きさに対応した設定値が記憶されている。工場出荷時においては、設定記憶部１１には、映像の全体がディスプレイ７に表示される際の映像の大きさに対応した設定値である初期値が予め記憶されているが、映像の大きさが調整された場合（即ち、映像の大きさを調整する機能の設定が変更された場合）には、制御部１０によって、調整された映像の大きさに対応した設定値が代わりに記憶される。
【００２９】
本体操作部１３には、テレビ受信装置１の電源オン／オフの切り換えを行うためのボタンや（不図示）や、チャンネルの切り換えを行うためのボタン（不図示）等が設けられており、このようなボタンが操作されることにより、本体操作部１３から制御部１０へ、操作されたボタンに対応した信号が入力される。即ち、例えば、テレビ受信装置１の電源オン／オフの切り換えを行うためのボタンが押下された場合は、電源オン／オフの切り換えを行う旨の信号が入力されるとともに、チャンネルの切り換えを行うためのボタンが押下された場合は、チャンネルの切り換えを行う旨の信号が入力される。
【００３０】
リモコン信号受信部１４は、テレビ受信装置１を遠隔操作するためにリモコン装置１５から送信された信号（即ち、リモコン信号）を受信するものであって、例えば、赤外線で送信されたリモコン信号を受信する赤外線受光素子である。リモコン信号受信部１４によって受信された信号は、制御部１０へ入力される。
【００３１】
リモコン装置１５には、図２に示すように、ユーザが操作する操作部１５ａが設けられており、操作部１５ａは、電源キー１６、画面サイズキー１７、数字キー１８、チャンネルキー１９、音量キー２０、メニューキー２１、上下キー２２、決定キー２３等のボタンから構成されている。これらのボタンが操作されることにより、リモコン装置１５は、操作されたボタンに対応した信号をリモコン信号受信部１４へ送信する。即ち、電源キー１６が押下されると、電源オン／オフの切り換えを行う旨の信号が送信され、画面サイズキー１７が押下されると、ディスプレイ７に表示される映像の大きさを調整する旨の信号が送信される。また、数字キー１８が押下されると、数字を入力する旨の信号が送信され、チャンネルキー１９が押下されると、チャンネルの切り換えを行う旨の信号が送信される。また、音量キー２０が押下されると、スピーカー９により再生される音声の大きさを調整する旨の信号が送信され、メニューキー２１が押下されると、一般用設定を開始するために設定メニューを表示する旨の信号が送信される。また、上下キー２２が押下されると、設定項目や設定内容を選択するために、選択すべき設定項目や設定内容を変更する旨の信号が送信され、決定キー２３が押下されると、選択すべき設定項目や設定内容を決定する旨の信号等が送信される。
【００３２】
本体操作部１３やリモコン信号受信部１４から制御部１０へ信号が入力されることで、制御部１０は、入力された信号に応じた動作を行う。即ち、例えば、画面サイズキー１７が操作されて映像の大きさを調整する旨の信号が制御部１０へ入力されると、制御部１０は、ディスプレイ７に表示される映像の大きさを調整する旨の制御信号を映像信号処理部６へ出力する。また、メニューキー２１が操作されて設定メニューを表示する旨の信号が制御部１０へ入力されると、制御部１０は、設定メニューを表示するためのＯＳＤ信号を映像信号処理部６へ出力する。
【００３３】
以上のように本実施形態に係るテレビ受信装置１は、ディスプレイ７に表示される映像の大きさを調整する旨の制御信号を映像信号処理部６へ出力する制御部１０を備えているため、表示される映像の大きさを調整する機能を有しており、リモコン装置１５の画面サイズキー１７を操作して、この機能の設定が変更可能である。従って、画面サイズキー１７が操作されて映像の大きさを調整する旨の信号が制御部１０へ入力されると、映像の大きさを調整する機能の設定が変更される。
【００３４】
次に、テレビ受信装置１の電源オン時において、放送信号に含まれる映像データ及び音声データに基づいて、ディスプレイ７及びスピーカー９により映像や音声を出力するテレビ受信装置１の動作について、図３を参照しながら説明する。
【００３５】
まず、アンテナＡが、放送局から送信された放送信号を受信し、受信した放送信号がアンテナＡからチューナー２へ入力される（ステップＳ１）。放送信号には映像データや音声データが含まれており、特に、デジタル放送においては、放送信号には、映像データと音声データが、ＭＰＥＧ−２  Ｓｙｓｔｅｍｓに準拠して多重化されている。
【００３６】
次いで、チューナー２が、アンテナＡから入力された放送信号のうち、ユーザが指定したチャンネルに対応する放送信号を選択して、選択された放送信号を復調部３へ出力する（ステップＳ２）。即ち、チューナー２は、放送信号のうち特定周波数の放送信号を取り出して、復調部３へと出力する。
【００３７】
次いで、復調部３が、チューナー２により選択された放送信号をＡ／Ｄ変換して復調するとともに、伝送路で発生する誤り符号訂正を行い、復調及び誤り符号訂正を行った信号をデスクランブル部４へ出力する（ステップＳ３）。
【００３８】
次いで、デスクランブル部４が、信号にスクランブルが施されている場合に、ＩＣカード（不図示）に記憶されたデスクランブルキー（解除鍵）を用いて、スクランブルを解除する処理を行い、スクランブルが施されていないＴＳ（Transport Stream）形式の信号を多重分離部５へ出力する（ステップS４）。
【００３９】
次いで、多重分離部５が、入力されたＴＳ形式の信号から映像データ、音声データ等を分離して、分離したデータを映像信号処理部６や音声信号処理部８へ出力する（ステップＳ５）。より具体的には、分離された映像データは、映像信号として映像信号処理部６へ出力されるとともに、分離された音声データは、音声信号として音声信号処理部８へ出力される。
【００４０】
次いで、映像信号処理部６が、映像データを含む映像信号に対して種々の信号処理を施す（ステップＳ６）。例えば、映像信号処理部６は、ＭＰＥＧ−２  Ｖｉｄｅｏ方式により圧縮符号化された映像データの復号化（即ち、デコード）や、映像信号処理部６へＯＳＤ信号が入力された場合には、ＯＳＤ画像がディスプレイ７に表示されるように、映像信号に対してＯＳＤ信号を合成する処理を施す。
【００４１】
また、ステップＳ６において映像信号処理部６は、ディスプレイ７に表示される映像の大きさを調整する旨の制御信号が制御部１０から入力された場合は、映像の大きさを調整するための信号処理を映像信号に対して施す。即ち、映像の横幅がディスプレイ７の横幅となるように映像を拡大する処理や、映像の縦幅がディスプレイ７の縦幅となるように映像を拡大する処理等のスケーリング処理を施す。
【００４２】
そして、映像信号処理部６によって種々の信号処理が施された映像信号が、ディスプレイ７へ出力されるとともに、ディスプレイ７が、映像信号に基づいて映像を表示する（ステップＳ７）。
【００４３】
また、音声信号処理部８は、音声データを含む音声信号に対して種々の信号処理を施す（ステップＳ８）。例えば、音声信号処理部８は、ＭＰＥＧ−２  ＡＡＣ方式により圧縮符号化された音声データの復号化（即ち、デコード）を行い、また、音声信号処理部８へ音声の大きさ（即ち、音量）を制限するための制御信号が入力された場合は、スピーカー９により再生される音声の大きさを、所定の音量よりも小さくするための信号処理を施す。
【００４４】
そして、音声信号処理部８によって信号処理が施された音声信号が、スピーカー９へ出力されるとともに、スピーカー９が、音声信号に基づいて音声を再生する（ステップＳ９）。なお、ステップＳ６，Ｓ７と、ステップＳ８，Ｓ９とは並行する動作である。
【００４５】
ここで、本実施形態においては、電源オン／オフの切り換えに伴い機能の設定を初期化するか否かを設定するための設定部Ｓを備える点に特徴がある。本実施形態においては、設定部Ｓとして、機能の設定を初期化するか否かの情報が記憶された業務用設定記憶部２４と、業務用設定記憶部２４に記憶された情報に基づいて機能の設定を初期化するか否かを判断する制御部１０と、機能の設定を初期化するか否かを選択するためのリモコン信号を受信するリモコン信号受信部１４とを備えている。
【００４６】
業務用設定記憶部２４は、ＥＥＰＲＯＭ等の書き込み・消去可能な不揮発性メモリであって、映像の大きさを調整する機能の設定を初期化するか否かの情報が記憶されている。業務用設定記憶部２４は不揮発性メモリであるため、業務用設定記憶部２４に記憶された設定内容は、テレビ受信装置１の電源オン／オフの切り換えを行った場合であっても、記憶され続ける。即ち、テレビ受信装置１の電源オン／オフの切り換えが行われた場合であっても、機能の設定を初期化するか否かの設定は保持される。
【００４７】
テレビ受信装置１は、電源オン／オフの切り換えに伴い機能の設定を初期化するか否かを設定するための設定部Ｓを備えているため、例えば、本発明のテレビ受信装置１が、宿泊施設の客室に設置される業務用として使用される場合には、図４に示す手順で、機能の設定を初期化するか否かが設定される。
【００４８】
より具体的には、まず、テレビ受信装置１の管理者である宿泊施設の従業員等が、本体操作部１３やリモコン装置１５の操作部１５ａを操作することで、業務用設定を開始する旨の信号が制御部１０へ入力される（ステップＳ１１）。業務用設定を開始する旨の信号を制御部１０へ入力するための操作は、例えば、複数のボタンを同時に押下する等の操作であって、一般のユーザによって行われないような操作とすることが好ましい。業務用設定を開始する旨の信号が制御部１０へ入力されると、制御部１０が、ＯＳＤ信号を映像信号処理部６へ出力して、設定項目を選択させるために、図５に示すようなＯＳＤ画像である業務用設定メニューがディスプレイ７に表示される。
【００４９】
次いで、設定を行う設定項目を選択する旨の信号が制御部１０へ入力される（ステップＳ１２）。即ち、宿泊施設の従業員等は、ディスプレイ７に表示された業務用設定メニューを参照しながらリモコン装置１５の上下キー２２と決定キー２３を操作することで、「画面サイズの初期化」の設定項目を選択する。設定項目を選択する旨の信号が制御部１０へ入力されると、制御部１０が、ＯＳＤ信号を映像信号処理部６へ出力して、設定内容を選択させるために、図６に示すようなＯＳＤ画像である業務用設定メニューがディスプレイ７に表示される。
【００５０】
次いで、設定内容を選択する旨の信号が制御部１０へ入力される（ステップＳ１３）。即ち、宿泊施設の従業員等は、ディスプレイ７に表示された業務用設定メニューを参照しながらリモコン装置１５の上下キー２２と決定キー２３を操作することで、「画面サイズの初期化」の設定内容として、「する」または「しない」のいずれかを選択する。
【００５１】
ここで、ステップＳ１３においては、テレビ受信装置１のユーザが、数日にわたって使用しないユーザ（例えば、宿泊施設の同じ客室に連泊しない宿泊者）である場合は、「画面サイズの初期化」の設定内容として「する」を選択して、電源オン／オフの切り換えに伴い機能の設定を初期化するように設定する。また、テレビ受信装置１のユーザが、数日にわたって使用するユーザ（例えば、宿泊施設の同じ客室に連泊する宿泊者）である場合は、「画面サイズの初期化」の設定内容として「しない」を選択して、電源オン／オフの切り換えに伴い機能の設定を初期化しないように設定する。
【００５２】
次いで、制御部１０が、映像の大きさを調整する機能の設定を初期化するか否かの情報である「画面サイズの初期化」の設定内容を、業務用設定データとして業務用設定記憶部２４に書き込む（ステップＳ１４）。即ち、ステップＳ１４においては、機能の設定を初期化するか否かの情報が業務用設定記憶部２４に記憶される。
【００５３】
そして、本体操作部１３やリモコン装置１５の操作部１５ａを操作することで、業務用設定を終了する旨の信号が制御部１０へ入力されて（ステップＳ１５）、制御部１０は、ＯＳＤ画像である業務用設定メニューを非表示にする旨の制御信号を映像信号処理部６へ出力することで、ディスプレイ７から業務用設定メニューを消す。
【００５４】
なお、「本体操作部の操作禁止」、「設定メニューの表示禁止」、「リモコン装置の操作禁止」及び「最大音量の制限」についての設定も、図４に示す手順に沿って、同様に設定することができるため、ここでは詳しい説明を省略する。
【００５５】
次に、図７を参照しながら、宿泊施設の客室に設置されたテレビ受信装置１について、電源オフから電源オンへ切り換わった時（即ち、テレビ受信装置１の電源投入時）において、映像の大きさを調整する機能の設定の初期化を行う際の手順を説明する。
【００５６】
ユーザ（即ち、宿泊者）により電源オン／オフの切り換えを行う旨の信号が制御部１０に入力されてテレビ受信装置１が電源オンとなると、まず、制御部１０が、業務用設定記憶部２４に記憶されている業務用設定データを読み出す（ステップＳ２１）。即ち、ステップＳ２１においては、制御部１０が、業務用設定記憶部２４から、「本体操作部の操作禁止」、「画面サイズの初期化」、「設定メニューの表示禁止」、「リモコン装置の操作禁止」及び「最大音量の設定」の設定内容を取得する。
【００５７】
次いで、制御部１０が、ステップＳ２１において読み出された業務用設定データに基づいて、「画面サイズの初期化」の設定内容が「する」に設定されているか否かを判断する（ステップＳ２２）。即ち、ステップＳ２２においては、業務用設定記憶部２４に記憶された情報に基づいて、制御部１０が、機能の設定を初期化するか否かを判断している。
【００５８】
次いで、ステップＳ２２において「画面サイズの初期化」の設定内容が「する」に設定されていると判断された場合は、制御部１０は、電源投入時前から設定記憶部１１に記憶されている設定値を消去して、設定値である初期値を設定記憶部１１に書き込んで記憶させる（ステップＳ２３）。即ち、制御部１０は、制御部１０が実行するプログラムに記憶されている初期値（即ち、工場出荷時において設定記憶部１１に予め記憶されている、映像の全体がディスプレイ７に表示される際の映像の大きさに対応した設定値）を、設定記憶部１１に書き込む。このようにして、ステップＳ２３においては、「画面サイズの初期化」の設定内容が「する」に設定されていた場合に、制御部１０が、プログラムに記憶された初期値を設定記憶部１１に記憶させることで、ユーザが認知しない機能を発揮させないために、映像の大きさを調整する機能の設定を保持しないように初期化する。従って、映像の大きさを調整する機能の設定を初期化されることで、ディスプレイ７に映像の全体が表示されるように設定される。
【００５９】
次いで、制御部１０が、設定記憶部１１に記憶されている設定値を読み出すとともに（ステップＳ２４）、制御部１０が、ステップＳ２４において読み出した設定値に基づいて、画面サイズを調整するための制御信号を映像信号処理部６へ出力する（ステップＳ２５）。
【００６０】
即ち、「画面サイズの初期化」の設定内容が「する」に設定されていた場合は、ステップＳ２３において初期値が設定記憶部１１に記憶されているため、ステップＳ２５においては、ディスプレイ７に表示される映像の大きさを、工場出荷時の大きさとするための制御信号が映像信号処理部６へ出力される。
【００６１】
一方、「画面サイズの初期化」の設定内容が「しない」に設定されていた場合（即ち、ステップＳ２２において「画面サイズの初期化」の設定内容が「する」に設定されていないと判断された場合）は、ステップ２３を経ることがない。このため、電源オン／オフの切り換えが行われた場合であってもユーザの好みに応じた機能を発揮させるために、機能の設定を初期化せずに保持する。即ち、「画面サイズの初期化」の設定内容が「しない」に設定されていた場合は、電源投入時前から設定記憶部１１に記憶されている設定値を読み出す。従って、設定記憶部１１に記憶されている設定値が初期値ではなくなっている場合は、ディスプレイ７に表示される映像の大きさを、電源オフ前に調整した大きさとするための制御信号が映像信号処理部６へ出力される。
【００６２】
また、制御部１０は、ステップＳ２１において読み出された業務用設定データに基づいて、各種の機能を発揮する。即ち、ステップＳ２１においては、業務用設定データを読み出すことで、制御部１０は、「本体操作部の操作禁止」、「設定メニューの表示禁止」、「リモコン装置の操作禁止」及び「最大音量の設定」の設定内容を取得する。「本体操作部の操作禁止」の設定内容が「する」に設定されている場合は、制御部１０は、本体操作部１３から入力される信号を無効化し、「設定メニューの表示禁止」の設定内容が「する」に設定されている場合は、制御部１０は、制御部１０に入力される設定メニューを表示する旨の信号を無効化する。また、「リモコン装置の操作禁止」の設定内容が「する」に設定されている場合は、制御部１０は、リモコン信号受信部１４から入力される信号を無効化し、「最大音量の制限」の設定内容が「する」に設定されている場合は、制御部１０は、スピーカー９により再生される音声の大きさを制限するための制御信号を音声信号処理部８へ出力する。
【００６３】
本実施形態のテレビ受信装置１によれば、以下のような効果を得ることができる。
（１）テレビ受信装置１の電源オン／オフの切り換えに伴い機能の設定を初期化するか否かを設定するための設定部Ｓを備える。このため、宿泊施設の客室において、連泊しない宿泊者（即ち、ユーザ）がテレビ受信装置１を使用する場合は、電源オン／オフの切り換えに伴い機能の設定を初期化するように設定することで、ユーザが認知しない機能を発揮させないために、機能の設定を保持しないように初期化することができる。また、宿泊施設の客室において、連泊する宿泊者がテレビ受信装置１を使用する場合は、電源オン／オフの切り換えに伴い機能の設定を初期化しないように設定することで、電源オン／オフの切り換えが行われた場合であってもユーザの好みに応じた機能を発揮させるために、機能の設定を初期化せずに保持することができる。従って、宿泊者を知る宿泊施設の従業員等のテレビ受信装置１の管理者が、電源オン／オフの切り換えに伴い機能の設定を初期化するか否かを設定することで、ユーザに応じて機能の設定を初期化することができ、かつ、ユーザが意識することなく機能の設定を初期化することができる。
【００６４】
（２）電源オン／オフの切り換えに伴い設定が初期化される機能は、映像の大きさを調整する機能であるため、電源オン／オフの切り換えに伴い機能の設定を初期化するように設定することで、映像の大きさを調整する機能の設定を初期化することができる。即ち、映像の全体が表示されるように初期化されることで、映像の一部をカットされるようなことなくユーザに映像を提示することができる。
【００６５】
（３）設定部Ｓとして、機能の設定を初期化するか否かの情報が記憶された業務用設定記憶部２４と、業務用設定記憶部２４に記憶された情報に基づいて機能の設定を初期化するか否かを判断する制御部１０とを備えている。このため、業務用設定記憶部２４に機能の設定を初期化するか否かの情報を予め記憶させておくことで、機能の設定を初期化するか否かを自動的に判断することができる。
【００６６】
（４）設定部Ｓとして、機能の設定を初期化するか否かを選択するためのリモコン信号を受信するリモコン信号受信部１４を備えている。このため、電源オン／オフの切り換えに伴い機能の設定を初期化するか否かを、遠隔操作により容易に設定することができる。
【００６７】
（５）機能の設定を初期化するか否かを設定するための業務用設定メニューを表示するディスプレイ７を備えているため、ディスプレイ７に表示された業務用設定メニューを参照しながら、電源オン／オフの切り換えに伴い機能の設定を初期化するか否かを簡単に設定することができる。
【００６８】
（第２の実施形態）
次に、本発明の第２の実施形態に係る映像表示装置について、図８を参照しながら説明する。図８は、本発明の第２の実施形態に係る映像表示装置の概略構成を示すブロック図である。なお、上述の第１の実施形態と同一の構成については、同一の符号を示して、ここでは、詳しい説明を省略する。
【００６９】
図８に示すように、第２の実施形態に係る映像表示装置であるテレビ受信装置１は、初期設定記憶部１２をさらに備えている。初期設定記憶部１２は、マスクＲＯＭ等の読み出し専用の不揮発性メモリであって、初期設定記憶部１２には、工場出荷時において設定記憶部１１に予め記憶されている設定値である初期値が記憶されている。
【００７０】
本実施形態においても、上記第１の実施形態と同様に、図４に示す手順で、機能の設定を初期化するか否かが設定されるとともに、図７に示す手順で、映像の大きさを調整する機能の設定の初期化が行われる。
【００７１】
本実施形態においては、設定値である初期値を設定記憶部１１に書き込んで記憶させるステップＳ２３において、制御部１０が、初期設定記憶部１２に予め記憶されている初期値（工場出荷時において設定記憶部１１に予め記憶されている、映像の全体がディスプレイ７に表示される際の映像の大きさに対応した設定値）を、設定記憶部１１に書き込む。このようにして、制御部１０が、初期設定記憶部１２に記憶された初期値を設定記憶部１１に記憶させることで、ユーザが認知しない機能を発揮させないために、映像の大きさを調整する機能の設定を保持しないように初期化することができる。従って、本実施形態のテレビ受信装置１によっても、上述の第１の実施形態のテレビ受信装置１と同様に、上記（１）〜（５）に記載の効果を得ることができる。
【００７２】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。
【００７３】
・共通化できる構成は一つにまとめてもよい。即ち、例えば、設定記憶部１１と業務用設定記憶部２４を、書き込み・消去可能な１つの不揮発性メモリで構成してもよい。また、設定記憶部１１と初期設定記憶部１２を、書き込み・消去可能な１つの不揮発性メモリで構成してもよく、また、設定記憶部１１と初期設定記憶部１２と業務用設定記憶部２４を、書き込み・消去可能な１つの不揮発性メモリで構成してもよい。
【００７４】
・上記実施形態においては、電源オン／オフの切り換えに伴い機能の設定を初期化するか否かを設定するための業務用設定メニューがディスプレイ７に表示されたが、業務用設定メニューを表示させずに、電源オン／オフの切り換えに伴い機能の設定を初期化するか否かを設定するように構成してもよい。このように構成しても上記（５）以外の効果を得ることができる。
【００７５】
・上記実施形態においては、機能の設定を初期化するか否かを選択するためのリモコン信号を受信するリモコン信号受信部１４を備えていたが、このように構成しなくてもよい。即ち、本体操作部１３に設けられたボタンを操作することにより、機能の設定を初期化するか否かを選択するための信号が制御部１０へ入力されるようにしてもよい。このように構成しても上記（４）以外の効果を得ることができる。
【００７６】
・上記実施形態においては、電源オン／オフの切り換えに伴い設定が初期化される機能は、映像の大きさを調整する機能であったが、その他の機能であってもよい。即ち、例えば、電源オン／オフの切り換えに伴い設定が初期化される機能は、映像の画質を調整する機能であってもよく、音声の大きさを調整する機能等であってもよい。このように構成しても上記（２）以外の効果を得ることができる。
【００７７】
・上記実施形態においては、映像表示装置はテレビ受信装置１であったが、放送信号を受信せずに、外部から入力される映像信号に含まれる映像情報に基づいて映像を表示するものであってもよい。即ち、機能の設定が変更可能であって映像を表示する映像表示装置であればどのようなものであってもよい。
【図面の簡単な説明】
【００７８】
【図１】本発明の第１の実施形態に係る映像表示装置であるテレビ受信装置の概略構成を示すブロック図。
【図２】リモコン装置の外観を示す上面図。
【図３】本発明の実施形態に係るテレビ受信装置の動作を説明するためのフローチャート。
【図４】業務用設定を行う際の手順を示すフローチャート。
【図５】業務用設定メニューの画面が表示された表示部の正面図。
【図６】初期化するか否かを設定するための画面が表示された表示部の正面図。
【図７】電源オン／オフの切り換えに伴い機能の設定を初期化する際の手順を示すフローチャート。
【図８】本発明の第２の実施形態に係る映像表示装置であるテレビ受信装置の概略構成を示すブロック図。
【図９】映像を拡大することにより映像の一部が表示されない様子を説明するための図。
【図１０】映像を拡大することにより映像の一部が表示されない様子を説明するための図。
【符号の説明】
【００７９】
Ａ…アンテナ、Ｓ…設定部、１…テレビ受信装置（映像表示装置）、２…チューナー、３…復調部、４…デスクランブル部、５…多重分離部、６…映像信号処理部、７…ディスプレイ（表示部）、８…音声信号処理部、９…スピーカー、１０…制御部、１１…設定記憶部、１２…初期設定記憶部、１３…本体操作部、１４…リモコン信号受信部、１５…リモコン装置、２４…業務用設定記憶部。
【図１】
0005258397.tif 000002
【図２】
0005258397.tif 000003
【図３】
0005258397.tif 000004
【図４】
0005258397.tif 000005
【図５】
0005258397.tif 000006
【図６】
0005258397.tif 000007
【図７】
0005258397.tif 000008
【図８】
0005258397.tif 000009
【図９】
0005258397.tif 000010
【図１０】
0005258397.tif 000011